(57)【要約】【課題】別途、振動検出センサ等の手段を用いることなく、振動が発生したことを検出することができる放射線画像撮影装置を提供する。【解決手段】放射線画像撮影装置は、放射線源から放射線を被写体に照射し、被写体を透過した放射線をフラットパネル型の放射線検出器で検出して、被写体が撮影された放射線画像を生成するものである。振動検出部は、放射線検出器の出力信号の変化に基づいて、あらかじめ設定された振動許容範囲を超える振動が発生したか否かを検出する。【選択図】図１
2009195612.tif 000002
【特許請求の範囲】
【請求項１】
放射線源から放射線を被写体に照射し、前記被写体を透過した放射線をフラットパネル型の放射線検出器で検出して、前記被写体が撮影された放射線画像を生成する放射線画像撮影装置であって、
前記放射線検出器の出力信号の変化に基づいて、あらかじめ設定された振動許容範囲を超える振動が発生したか否かを検出する振動検出部を備えていることを特徴とする放射線画像撮影装置。
【請求項２】
放射線源から放射線を被写体に照射し、前記被写体を透過した放射線をフラットパネル型の放射線検出器で検出して、前記被写体が撮影された放射線画像を生成する放射線画像撮影装置であって、
前記放射線検出器の出力信号に対してＡ／Ｄ変換を含むデータ処理を行う撮影データ処理部と、
前記撮影データ処理部の出力信号の変化に基づいて、あらかじめ設定された振動許容範囲を超える振動が発生したか否かを検出する振動検出部を備えていることを特徴とする放射線画像撮影装置。
【請求項３】
当該放射線画像撮影装置の動作を制御する制御部を備え、
前記制御部は、前記振動検出部により、前記振動許容範囲を超える振動が前記放射線の照射前に発生したことが検出された場合、前記振動が前記振動許容範囲を超えない大きさに低下するまで、前記放射線を照射することを停止し、前記被写体を撮影しないように制御することを特徴とする請求項１または２に記載の放射線画像撮影装置。
【請求項４】
当該放射線画像撮影装置の動作を制御する制御部と、前記放射線画像をプリント出力するプリンタとを備え、
前記制御部は、前記振動検出部により、前記振動許容範囲を超える振動が前記放射線の照射中に発生したことが、前記放射線の照射が完了する前に検出された場合、前記放射線の照射を停止し、前記放射線の照射が停止された放射線画像を前記プリンタからプリント出力しないように制御することを特徴とする請求項１または２に記載の放射線画像撮影装置。
【請求項５】
当該放射線画像撮影装置の動作を制御する制御部と、前記放射線画像を表示するモニタとを備え、
前記制御部は、前記振動検出部により、前記振動許容範囲を超える振動が前記放射線の照射中に発生したことが、前記放射線の照射が完了した後に検出された場合、前記被写体の再撮影を指示するメッセージを前記モニタ上に表示するように制御することを特徴とする請求項１または２に記載の放射線画像撮影装置。
【発明の詳細な説明】
【技術分野】
【０００１】
本発明は、放射線を被写体に照射し、被写体を透過した放射線を検出して電気信号に変換し、変換した電気信号に基づいて放射線画像を生成する放射線画像撮影装置に関するものである。
【背景技術】
【０００２】
放射線画像撮影装置は、例えば、医療用の診断画像や工業用の非破壊検査などを含む各種の分野で利用されている。放射線画像撮影装置において、被写体を透過した放射線（Ｘ線、α線、β線、γ線、電子線、紫外線等）を検出する放射線検出器として、現在では、放射線を電気信号に変換するフラットパネル型検出器（ＦＰＤ（Flat Panel Detector））を用いるものがある。
【０００３】
ＦＰＤを用いた放射線画像撮影装置では、放射線源から放射線を被写体に照射し、被写体を透過した放射線をＦＰＤで電気信号に変換し、ＦＰＤから被写体の画像データに相当する電気信号を読み出して放射線画像を生成する。しかし、撮影装置が撮影中に振動すると、撮影された放射線画像に振動の影響（画像欠陥）が現れ、撮影された放射線画像の画質が低下するという問題がある。
【０００４】
ここで、本発明に関連性のある先行技術文献として、例えば、特許文献１を例示することができる。
【０００５】
特許文献１には、装置本体に設けられ、装置本体の設置された状態を検出する検出部（例えば、装置本体の振動量を検出する振動検出センサ）と、検出部により検出された検出信号が入力されるとともに、装置の設置条件の範囲内であるか否かを判断して検出信号に基づいて出力信号を出力する制御部と、制御部からの出力信号が入力され、検出部による検出結果を確認するための確認手段と、を備える画像形成装置が開示されている。
【０００６】
【特許文献１】特開２００４−１０４６１１号
【発明の開示】
【発明が解決しようとする課題】
【０００７】
従来、振動検出センサを用いて撮影装置の振動を検出し、振動発生の有無や、その振動量を表示するものは知られているが、振動による画像欠陥への対応はなされていなかった。そのため、ユーザ（オペレータ）が、振動発生の有無、振動量などの表示を見て再度撮影するかしないかを判断する必要があった。これでは、医療用の診断画像の場合に誤診につながる虞があり、患者に与えるダメージが大きいという問題があった。
【０００８】
本発明の第１の目的は、前記従来技術の問題点を解消し、別途、振動検出センサ等の手段を用いることなく、振動が発生したことを検出することができる放射線画像撮影装置を提供することにある。
また、本発明の第２の目的は、上記第１の目的に加えて、振動の発生を検出した場合に、撮影装置の動作を制御したり、ユーザに再撮影の要否を指示したりすることができる放射線画像撮影装置を提供することにある。
【課題を解決するための手段】
【０００９】
上記目的を達成するために、本発明は、放射線源から放射線を被写体に照射し、前記被写体を透過した放射線をフラットパネル型の放射線検出器で検出して、前記被写体が撮影された放射線画像を生成する放射線画像撮影装置であって、
前記放射線検出器の出力信号の変化に基づいて、あらかじめ設定された振動許容範囲を超える振動が発生したか否かを検出する振動検出部を備えていることを特徴とする放射線画像撮影装置を提供するものである。
【００１０】
また、本発明は、放射線源から放射線を被写体に照射し、前記被写体を透過した放射線をフラットパネル型の放射線検出器で検出して、前記被写体が撮影された放射線画像を生成する放射線画像撮影装置であって、
前記放射線検出器の出力信号に対してＡ／Ｄ変換を含むデータ処理を行う撮影データ処理部と、
前記撮影データ処理部の出力信号の変化に基づいて、あらかじめ設定された振動許容範囲を超える振動が発生したか否かを検出する振動検出部を備えていることを特徴とする放射線画像撮影装置を提供する。
【００１１】
ここで、当該放射線画像撮影装置の動作を制御する制御部を備え、
前記制御部は、前記振動検出部により、前記振動許容範囲を超える振動が前記放射線の照射前に発生したことが検出された場合、前記振動が前記振動許容範囲を超えない大きさに低下するまで、前記放射線を照射することを停止し、前記被写体を撮影しないように制御することが好ましい。
【００１２】
また、当該放射線画像撮影装置の動作を制御する制御部と、前記放射線画像をプリント出力するプリンタとを備え、
前記制御部は、前記振動検出部により、前記振動許容範囲を超える振動が前記放射線の照射中に発生したことが、前記放射線の照射が完了する前に検出された場合、前記放射線の照射を停止し、前記放射線の照射が停止された放射線画像を前記プリンタからプリント出力しないように制御することが好ましい。
【００１３】
また、当該放射線画像撮影装置の動作を制御する制御部と、前記放射線画像を表示するモニタとを備え、
前記制御部は、前記振動検出部により、前記振動許容範囲を超える振動が前記放射線の照射中に発生したことが、前記放射線の照射が完了した後に検出された場合、前記被写体の再撮影を指示するメッセージを前記モニタ上に表示するように制御することが好ましい。
【発明の効果】
【００１４】
本発明において、振動検出部は、放射線検出器の出力信号に基づいて、振動許容範囲を超える振動が発生したか否かを検出する。そのため、別途、振動検出センサなどの手段が不要であり、その分のコストを削減できる。
【００１５】
振動許容範囲を超える振動が放射線の照射前（撮影前）に発生したことが検出された場合、被写体の撮影ができない状態となる。これによって、振動許容範囲を超える振動の発生により、画像欠陥が生じる虞のある放射線画像を撮影することを防止できる。従って、無駄な放射線の照射や、画像欠陥のある虞がある放射線画像がプリント出力されることを未然に防止できる。
【００１６】
また、振動許容範囲を超える振動が放射線の照射中（撮影中）に発生したことが、放射線の照射が完了する前に検出された場合、撮影完了前に撮影が中止される。これによって、振動許容範囲を超える振動の発生により、画像欠陥が生じた虞のある放射線画像のプリント出力を中止することができる。無駄なプリント出力を防止できるので、その分のコストを削減できる。
【００１７】
さらに、振動許容範囲を超える振動が放射線の照射中に発生したことが、放射線の照射が完了した後（撮影後）に検出された場合、再撮影を指示するメッセージがモニタ上に表示される。これによって、撮影装置のユーザは、撮影をやり直す必要があることを知ることができる。再撮影を行うことにより、振動による画像欠陥のない放射線画像を得ることができ、例えば、医療用の診断画像の場合であれば誤診を未然に防ぐことができる。
【発明を実施するための最良の形態】
【００１８】
以下に、添付の図面に示す好適実施形態に基づいて、本発明の放射線画像撮影装置を詳細に説明する。
【００１９】
図１は、本発明の放射線画像撮影装置の構成を表す一実施形態のブロック図である。同図に示す放射線画像撮影装置１０は、放射線を被写体（被検者）Ｈに照射し、被写体Ｈを透過した放射線を検出して画像データに相当する電気信号に変換し、この変換した電気信号に基づいて、被写体Ｈが撮影された放射線画像を生成する。撮影装置１０は、撮影部１２と、撮影データ処理部１４と、画像処理部１６と、振動検出部１７と、出力部１８と、撮影指示部２０と、制御部２２とによって構成されている。
【００２０】
撮影部１２は、放射線を被写体Ｈに照射し、被写体Ｈを透過した放射線を検出することで被写体Ｈの撮影を行う部位である。撮影部１２からは、被写体Ｈが撮影された放射線画像のデータ（アナログデータ）が出力される。撮影部１２の詳細は後述する。
【００２１】
続いて、撮影データ処理部１４は、撮影部１２から供給された放射線画像データに対して、Ａ／Ｄ（アナログ／デジタル）変換等のデータ処理を行う部位である。撮影データ処理部１４からは、データ処理後の放射線画像のデータ（デジタルデータ）が出力される。
【００２２】
画像処理部１６は、撮影データ処理部１４から供給されたデータ処理後の放射線画像データに対して、オフセット補正、残像補正等の画像処理を行う部位である。画像処理部１６は、コンピュータ上で動作するプログラム（ソフトウェア）、専用のハードウェア、ないしは、両者を組み合わせて構成される。画像処理部１６からは、画像処理後の放射線画像データが出力される。
【００２３】
振動検出部１７は、撮影部１２の放射線検出器（後述するＦＰＤ３２）の出力信号の変化に基づいて、あらかじめ設定された振動許容範囲を超える振動（撮影装置１０の振動、さらに正確には、撮影部１２の振動）が発生したか否かを検出する部位である。振動検出部１７からは、振動許容範囲を超える振動が発生したか否かを表す振動検出信号が出力される。
【００２４】
振動検出部１７は、ＦＰＤ３２のチャージアンプの出力信号に基づいて、振動許容範囲を超える振動が発生したか否かを検出する。そのため、別途、振動検出センサなどの手段が不要であり、その分のコストを削減できる。
【００２５】
出力部１８は、画像処理部１６から供給された画像処理後の放射線画像データを出力する部位である。出力部１８は、例えば、放射線画像を画面上に表示するモニタ、放射線画像をプリント出力するプリンタ、放射線画像データを記憶する記憶装置等である。出力部１８のモニタ上には、振動検出信号に応じたメッセージを含む各種のメッセージが表示される。
【００２６】
ここで、撮影装置１０には、撮影モードとして、放射線の強度および照射時間（照射量）等の撮影条件を手動で設定する手動撮影モードの他に、あらかじめ所定の撮影条件が設定されている、複数の撮影モードが設けられている。
【００２７】
撮影指示部２０は、撮影条件や撮影モードを設定し、被写体Ｈの撮影を指示する部位である。撮影指示部２０として、撮影条件や撮影モードを設定するための入力キー、撮影の指示には、２段押し型の撮影ボタンが用いられている。撮影ボタンは、１段目まで押されると（半押しされると）撮影の準備状態となり、２段目まで押されると（全押しされると）撮影が開始される。撮影指示部２０からは、撮影条件や撮影モード、撮影ボタンの状態を表す撮影指示信号が出力される。
【００２８】
制御部２２は、撮影指示部２０から供給された撮影指示信号に応じて、撮影装置１０の動作を制御する部位である。制御部２２は、例えば、撮影部１２における撮影の制御、画像処理部１６における画像処理の制御、出力部１８における出力の制御、を行う。また、詳細は後述するが、制御部２２は、振動検出部１７から供給された振動検出信号に基づいて、撮影装置１０の各部位における動作を制御する。
【００２９】
続いて、撮影部１２について説明する。
【００３０】
撮影部１２は、照射制御部２４と、放射線源２６と、撮影台２８と、放射線検出部３０とによって構成されている。
【００３１】
照射制御部２４は、放射線源２６を駆動して、撮影モードに応じて設定された強度の放射線が設定された時間だけ照射されるように照射量を制御する。放射線源２６から照射された放射線は、撮影台２８上の被写体Ｈを透過して放射線検出部３０に入射される。
【００３２】
放射線検出部３０は、被写体Ｈを透過した放射線をＦＰＤ３２で検出して電気信号（放射線画像データ）に変換する。放射線検出部３０からは、被写体Ｈが撮影された放射線画像のデータ（アナログデータ）が出力される。ＦＰＤ３２は、放射線を電荷に直接変換する直接方式のＦＰＤ、もしくは、放射線を一旦光に変換し、変換された光をさらに電気信号に変換する間接方式のＦＰＤのどちらでも利用可能である。
【００３３】
直接方式のＦＰＤは、アモルファスセレン等の光導電膜、キャパシタ、スイッチ素子としてのＴＦＴ（Thin Film Transistor）等によって構成される。例えば、Ｘ線等の放射線が入射されると、光導電膜から電子−正孔対（ｅ−ｈペア）が発せられる。その電子−正孔対はキャパシタに蓄積され、キャパシタに蓄積された電荷が、ＴＦＴを介して電気信号として読み出される。
【００３４】
一方、間接方式のＦＰＤは、蛍光体で形成されたシンチレータ層、フォトダイオード、キャパシタ、ＴＦＴ等によって構成される。例えば、「ＣｓＩ：Ｔｌ」等の放射線が入射されると、シンチレータ層が発光（蛍光）する。シンチレータ層による発光はフォトダイオードで光電変換されてキャパシタに蓄積され、キャパシタに蓄積された電荷が、ＴＦＴを介して電気信号として読み出される。
【００３５】
また、本出願人は、特願２００７−２１８８１６号において、公知の直接方式および間接方式とは異なる方式で放射線を検出する光読取方式のＦＰＤを提案している。ＦＰＤ３２は、この光読取方式のＦＰＤも利用可能である。
【００３６】
光読取方式のＦＰＤは、概略すると、放射線（記録光）が照射されると電荷対を発生して導電性を呈する記録用光導電層、読取光が照射されると電荷対を発生して導電性を呈する読取用光導電層、読取光に対して透過性を有する基板等がこの順に設けられて構成される。また、光読取方式のＦＰＤには、蓄積された電荷を読み出す時に、１ライン分の読取光を基板側に順次照射するライン光源が設けられている。
【００３７】
光読取方式のＦＰＤでは、ライン光源からライン状の読取光が照射されると、蓄電部に蓄積された潜像極性電荷として記録されている画像情報のうち、読取光が照射された部分に記録されている１ライン分の画像情報が、透明線状電極を介し、各画素毎に潜像極性電荷の量に応じたレベルの電気信号として読み出される。この処理を全てのラインについて行うことで１画面分の画像情報が画像データとして読み出される。
【００３８】
図示を省略しているが、放射線源２６と放射線検出部３０は、例えば、長尺撮影などの場合のために、撮影台２８の長手方向（図１中、左右方向）に沿って往復移動が可能なように構成されている。これに対し、撮影台２８を移動可能に構成してもよい。
【００３９】
次に、ＦＰＤ３２について説明する。
【００４０】
図２は、図１に示すＦＰＤの構成を表す回路図である。ＦＰＤ３２は、直接方式の放射線検出器であり、図２に示す構成の複数の画素（ピクセル）３４をアレイ状に配列して構成されている。また、同図には、ＦＰＤ３２の各画素３４から読み出された画像データ（アナログ信号）を伝搬するデータラインの等価回路３６と、データラインを介して伝搬された画像データを増幅して出力するチャージアンプ３８とが示されている。
【００４１】
ＦＰＤ３２の各画素３４は、光導電膜４０と、キャパシタ（Ｃｓ）４２と、ＴＦＴ４４とによって構成されている。光導電膜４０の上面全面に電極４６が設けられ、下面の各画素３４に対応して電極４８が設けられている。光導電膜４０の上面の電極４６は、電圧源（Ｖｈ）５０を介してグランドに接続され、下面の電極４８はキャパシタ４２を介してグランドに接続されている。ＴＦＴ４４は、光導電膜４０の他方の面の電極４８とキャパシタ４２とを接続するノードと、データラインとの間に接続されている。
【００４２】
データラインの等価回路３６は、抵抗素子（Ｒｄ）５２と、キャパシタ（Ｃｄ）５４とによって構成されている。抵抗素子５２は、ＴＦＴ４４とオペアンプ５６との間に接続され、キャパシタ５４は、ＴＦＴ４４と抵抗素子５２とを接続するノードと、グランドとの間に接続されている。ＦＰＤ３２の各画素３４から読み出された画像データは、データラインによって、抵抗素子５２の抵抗値とキャパシタ５４の容量値で決定される時間だけ遅延されてチャージアンプ３８まで伝搬される。
【００４３】
チャージアンプ３８は、オペアンプ５６と、キャパシタ５８とによって構成されている。オペアンプ３８の−端子はデータラインに接続され、＋端子はグランドに接続されている。また、キャパシタ５８は、オペアンプ５６の−端子と出力端子との間に接続されている。チャージアンプ３８の出力信号（オペアンプ５６の出力信号）は、撮影データ処理部１４に供給される。
【００４４】
図２に示すように、例えば、Ｘ線がＦＰＤ３２に入射されると、光導電膜４０からＸ線の照射量に応じた電子−正孔対（ｅ−ｈペア）が発せられ、その電子−正孔対が各画素３４のキャパシタ４２に蓄積される。キャパシタ４２に蓄積された電荷は、ＴＦＴ４４がオン状態になると画像データとして読み出される。ＦＰＤ３２の各画素３４から読み出された画像データは、データラインを介してチャージアンプ３８に入力され、その電圧レベルに応じて増幅されて出力される。
【００４５】
撮影装置１０（撮影部１２）が振動すると、ＦＰＤ３２のチャージアンプ３８のキャパシタ５８の電荷量が変化し、これに応じてオペアンプ５６の出力信号の電位が変化する。振動検出部１７は、チャージアンプ３８の出力信号（ＦＰＤ３２の出力信号）の電位変化量が、あらかじめ設定された振動許容範囲を超えているか否かを検出し、振動許容範囲を超える振動が発生したことを検出した場合には、その旨を表す振動検出信号を出力する。
【００４６】
ここで、振動許容範囲を超える振動が発生した時に、チャージアンプ３８のキャパシタ５８の電荷量、すなわち、オペアンプ５６の出力信号の電位の変化量は、キャパシタ５８の容量値や、振動が発生する前のオペアンプ５６の出力信号の電位等によって異なる。また、設定された振動許容範囲に応じて、振動として検出される基準が変更される。従って、振動許容範囲は、これらを考慮して適宜決定されるべきものである。
【００４７】
次に、撮影装置１０の動作を説明する。
【００４８】
撮影指示部２０において、ユーザにより撮影条件ないし撮影モードが設定され、撮影ボタンが１段目まで押されると、撮影装置１０は、制御部２２の制御の下で撮影の準備状態となる。
【００４９】
続いて、撮影ボタンが２段目まで押されると撮影が開始される。撮影が開始されると、撮影部１２において、放射線源２６から、撮影条件ないし撮影モードに応じて設定された強度の放射線が設定された時間だけ照射される。照射された放射線は、撮影台２８上の被写体Ｈを透過して放射線検出部３０のＦＰＤ３２に入射され、被写体Ｈを透過した放射線が電気信号（放射線画像データ）に変換される。
【００５０】
続いて、ＦＰＤ３２から、撮影された放射線画像のデータが読み出され、撮影データ処理部１４によってＡ／Ｄ変換等のデータ処理が行われる。画像処理部１６では、データ処理後の放射線画像データに対して、オフセット補正や残像補正などの画像処理が行われる。画像処理後の放射線画像データは出力部１８に供給され、例えば、モニタ上に表示されたり、プリント出力されたりする。
【００５１】
ここで、上記被写体Ｈの撮影時に、振動検出部１７により、振動許容範囲を超える振動が放射線の照射前に発生したことが検出された場合、制御部２２により、振動が振動許容範囲を超えない大きさに低下するまで、撮影部１２において、放射線を照射することを停止し、被写体Ｈを撮影しないように制御する。つまり、被写体Ｈの撮影ができない状態となる。
【００５２】
これによって、振動許容範囲を超える振動の発生により、画像欠陥が生じる虞のある放射線画像を撮影することを防止できる。従って、無駄な放射線の照射や、画像欠陥のある虞がある放射線画像がプリント出力されることを未然に防止できる。
【００５３】
また、振動検出部１７により、振動許容範囲を超える振動が放射線の照射中に発生したことが、放射線の照射が完了する前に検出された場合、制御部２２により、振動検出部１７から供給された振動検出信号に基づいて、撮影部１２において、放射線の照射を停止し、出力部１８において、放射線の照射が停止された放射線画像をプリンタからプリント出力しないように制御する。つまり、撮影完了前に撮影が中止される。
【００５４】
これによって、振動許容範囲を超える振動の発生により、画像欠陥が生じた虞のある放射線画像のプリント出力を中止することができる。つまり、無駄なプリント出力を防止できるので、その分のコストを削減できる。
【００５５】
さらに、振動検出部１７により、振動許容範囲を超える振動が放射線の照射中に発生したことが、放射線の照射が完了した後に検出された場合、制御部２２により、振動検出部１７から供給された振動検出信号に基づいて、撮影部１２において、出力部１８において、被写体Ｈの再撮影を指示するメッセージをモニタ上に表示するように制御する。この場合、撮影は完了しているが、撮影された放射線画像には欠陥画像がある虞がある。
【００５６】
これによって、撮影装置のユーザは、自分で判断することなく、振動許容範囲を超える振動の発生により、撮影された放射線画像に画像欠陥が生じており、被写体Ｈの撮影をやり直す必要があることを知ることができる。また、再撮影を行うことにより、振動による画像欠陥のない放射線画像を得ることができ、例えば、医療用の診断画像の場合であれば誤診を未然に防ぐことができる。
【００５７】
なお、上記実施形態では、振動検出部１７が、ＦＰＤ３２のチャージアンプの出力信号（アナログ信号）に基づいて、撮影時に振動許容範囲を超える振動が発生したか否かを検出する構成であるが、本発明はこれに限定されず、撮影データ処理部１４の出力信号（デジタル信号）に基づいて、撮影時に振動許容範囲を超える振動が発生したか否かを検出する構成としてもよい。
【００５８】
本発明は、基本的に以上のようなものである。
以上、本発明の放射線画像撮影装置について詳細に説明したが、本発明は上記実施形態に限定されず、本発明の主旨を逸脱しない範囲において、種々の改良や変更をしてもよいのはもちろんである。
【図面の簡単な説明】
【００５９】
【図１】本発明の放射線画像撮影装置の構成を表す一実施形態のブロック図である。
【図２】図１に示すＦＰＤの構成を表す回路図である。
【符号の説明】
【００６０】
１０  放射線画像撮影装置
１２  撮影部
１４  撮影データ処理部
１６  画像処理部
１７  振動検出部
１８  出力部
２０  撮影指示部
２２  制御部
２４  照射制御部
２６  放射線源
２８  撮影台
３０  放射線検出部
３２  ＦＰＤ
３４  画素（ピクセル）
３６  データラインの等価回路
３８  チャージアンプ
４０  光導電膜
４２、５４、５８  キャパシタ
４４  ＴＦＴ
４６，４８  電極
５０  電圧源
５２  抵抗素子
５６  オペアンプ
【図１】
2009195612.tif 000003
【図２】
2009195612.tif 000004